(57)【要約】【課題】屋外排水設備の施工法を簡略して、狭小地に適用可能とする。【解決手段】戸建住宅２の基礎工事における布基礎用型枠を除去したときの、若干大巾にした根切り用掘削溝に、管等の不等沈下防止用基礎を行ってから、屋外排水管１０６および排水ます１０を設置した後、該掘削溝を埋戻す。次いで、該住宅２の屋内排水配管ができると、この排水ますを再掘して屋内排水管と排水ます１０とを接続するので、管布設の掘削が省け、工法を簡略にすると共に、狭小地に適用可能となった。【選択図】        図１
2004346513.tif 000002
【特許請求の範囲】
【請求項１】
建屋の基礎工事における根切りした箇所に、屋外排水管および排水ますを設置してから、該根切り箇所を埋戻した後、再掘して、前記建屋の屋内配管と前記排水ますとを接続することを特徴とする屋外排水設備の施工法。
【請求項２】
排水ますを、屋内配管の当該排水ますが接続される排水枝管より、屋外排水管における上流側に、設置するようにして、該接続を容易にした屋外排水設備の施工法。
【請求項３】
前記排水ますを、屋内配管の排水枝管より該屋外排水管に対して上流側に、設置するようにした請求項１に記載の屋外排水設備の施工法。
【請求項４】
前記屋内配管を集合一括排水設備にした請求項１または３に記載の屋外排水設備の施工法。
【発明の詳細な説明】
【０００１】
【発明の属する技術分野】
本発明は、屋外排水設備の施工法に関するものである。
【０００２】
【従来の技術】
一般に、この種の屋外排水設備の施工法は、次のように行われている。
【０００３】
この施工法を述べる前に、かかる屋外排水設備（主として建屋より１〜１．５ｍ以内の排水設備をいう）について述べると、これは、例えば図７の平面図に示すように構成されている。
【０００４】
図中、１００は建屋であって、台所、トイレ、洗面台、洗濯機および風呂等からの排水枝管１０３が、それぞれ排水ます１０２、１０２、…を介して、この建屋１００の近傍に沿って埋設している宅内排水主管１０６に、最短距離で接続される。図中ａは排水の流れ方向を示す。
【０００５】
さて、かかる一般の屋外排水設備の施工法は、例えば建屋１００が木造等戸建の場合の施工法は、水盛り遺方後、所定の巾と深さの根切りと称する掘削溝を形成し、これに地業を行った後、ベ−スとなるフ−チング基礎のコンクリ−ト打ちを行い、その養生後、布基礎用型枠を立てる。
【０００６】
この型枠組み時に給排水枝管等の配管や床下換気口のためのボイド管や箱入れ等の手当てを行ってから、この布基礎用型枠内にコンクリ−トを打設する。
【０００７】
そして、この布基礎のコンクリ−トが固まった後、この型枠を外し土を埋め戻す。その後、屋内配管の完了後、公共ます等に接続するため、排水枝管１０３から公共ますまで再掘削して、前記排水ます１０２や宅内排水主管１０６を設置する、という屋外排水設備の施工法が行われている。
【０００８】
これを更にいえば、屋内配管の完了後、例えば特開２０００−２１３０２６号公報における従来技術の説明や日本下水道協会の標準施工法のように、布基礎に沿って排水枝管１０３の配設路から公共ますまで不陸のないように再掘削し（再根切りし）、その掘削基礎面を十分に突き固めて不等沈下をなくすようにして砂基礎を施し、管の中心線や勾配を正確にして布設工事を行い、続いて入念な突き固めの埋戻し施工を行う、という屋外排水設備の施工法が行われている。
【０００９】
一方、最近、木造等戸建の屋内配管の施工法に集合一括排水設備を用いた施工法が提唱されてきた（例えば、本出願人に係る特開２００２−３２７４７４号公報や特開２００３−１１９８７１号公報参照）。
【００１０】
この集合一括排水設備の施工法によると、各種の有益な効果を得る他、特に、屋外の排水ますや排水枝管の数を減らすという効果があり、ひいては、その労務量や土工費を節減できる効果が期待できる。
【００１１】
【発明が解決しようとする課題】
ところが、前記一般の屋外排水設備の施工法では、前掲の特開２０００−２１３０２６号公報でも指摘されているように、例えば地盤が充分に整備されていない地面や、小形掘削機の搬入・使用が容易にできない狭小地の地面では、掘削作業に多大の時間や労務を要している。
【００１２】
また、集合一括排水設備を施工する場合でも、これが極狭小地使用に適格であることから、この集合一括排水設備による折角の低労務量や低土工費の考えを、前記一般の屋外排水設備の施工法では対応していない、という問題があった。換言すると本発明の一部は、極狭小地に適格である視点から、集合一括排水設備の施工法と屋外排水設備の施工法とを低労務量や低土工費について相応しくさせようとして創作された。
【００１３】
【課題を解決するための手段】
すなわち、本発明の要旨とするところは、１）建屋の基礎工事における根切りした箇所に、屋外排水管および排水ますを設置してから、該根切り箇所を埋戻した後、再掘して、前記建屋の屋内配管と前記排水ますとを接続することを特徴とする屋外排水設備の施工法にあり、また、２）排水ますを、屋内配管の当該排水ますが接続される排水枝管より、屋外排水管における上流側に、設置するようにして、該接続を容易にした屋外排水設備の施工法にあり、また、３）前記排水ますを、屋内配管の排水枝管より該屋外排水管に対して上流側に、設置するようにした請求項１に記載の屋外排水設備の施工法にあり、また、４）前記屋内配管を集合一括排水設備にした請求項１または３に記載の屋外排水設備の施工法にある。
【００１４】
したがって、本発明は次の実施態様が含まれる。
【００１５】
▲１▼戸建住宅の基礎工事における若干大巾の根切り用掘削溝（この根切りは、必ずしも穴または長溝に限らず、掘削一般をいうが、掘削溝が代表例である）に、屋外排水管および排水ますを管等の不等沈下防止用基礎を行ってから設置施工後埋戻した後、当該住宅の屋内排水用配管と排水ますを接続するため排水ます近傍のみを再掘して宅地極狭小地にも適格ならしめたことを特徴とする屋外排水設備の施工法。
【００１６】
▲２▼排水ますを、排水枝管より屋外排水管に対して上流側に設置し、排水枝管を排水ますの下流側から接続することにより、既設の排水ますに、後工程の排水枝管を容易に且つ合流によるジャンピングをなくした屋外排水設備の施工法。
【００１７】
▲３▼本発明を適用する屋外排水設備の排水ますを、点検筒とインバ−トとから構成し、該排水ますの上部に流入口を設け、該流入口と前記インバ−トの流出口とを、Ｕタ−ン状の排水流れにするための案内部材を内蔵した構成とする。
【００１８】
▲４▼本発明を適用する屋外排水設備の排水ますを、点検筒部材、これと別体のインバ−ト部材と、から構成し、該点検筒部材に水平状流入管用接続部を一体成形して突出させ、該流入管用接続部の管頂を、該点検筒部材の開閉蓋と略一致させた構成とする。
【００１９】
【発明の実施の形態】
本発明を添付図面に示す実施例設備により詳細にのべる。
【００２０】
図１は本発明の実施例を用いる設備の概念図、図２は図１の設備の具体例、図３は図２の縦断面図、図４は図２の要部詳細図、図５は図４の要部詳細図、図６は図４の他の要部詳細図であるが、前記従来例の同一部分の説明は、そのまま記載されているものとする。
【００２１】
「本発明の実施例の概要」
先ず、本発明の実施例の概要を述べる。
【００２２】
これは、前記従来の一般の屋外排水設備の施工法において、布基礎用型枠を除去したとき、所定の巾と深さの根切りと称する掘削した箇所が存在するが、この掘削箇所に砂基礎等不等沈下防止の管基礎を施し、屋外排水主管１０６および排水ます１０を直ちに設置して埋戻しておき、後記詳細の段差接合構造２２を構築した後、つまり、建屋略完成後の屋内配管を、再掘して前記排水ます１０と接続する、という屋外排水設備の施工法であるので、排水ます１０の設置のための２度掘りをしなく、ひいては、低労務量や低土工費が期待でき、一般の屋外排水設備の施工法に好都合であるのは勿論、集合一括排水設備の施工法の特長に好都合に合致させることができる。
【００２３】
かかる屋外排水設備の施工法に用いる排水ます１０は、特に、図１に示すように排水枝管（１０３）が、ａ方向に流下する屋外排水主管１０６に対し下流側から接続されていて、極狭小地に適合させると共に、排水ます１０における滝落しによる排水の乱れ（ジャンピング）を防止している。
【００２４】
そのため、この排水ます１０の屋外排水主管１０６における位置を、図１、図２に示すように前記布基礎２４の型枠（不図示）におけるボイド管など排水用スリ−ブの軸延長上、すなわち、第１の横管２０の管軸延長上より上流側にセットする。その理由を以下に述べる。
【００２５】
もし、第１の横管２０の管軸上との交叉点にセットすると、排水ます１０と布基礎２４とが極めて接近しているだけに、段差接合構造２２の下流側との接続が単に挿入するだけとはいえ、いわゆるジゴク配管等による困難となるばかりか、施工誤差を吸収できない。殊に、再掘して、一般の多数の排水枝管（１０３）と接続する場合は、その困難性が増す。
【００２６】
また、排水ます１０の位置を下流側にセットすると、実験の結果や後記理由により、排水ます１０内での滝落しに乱れが生じる。
【００２７】
さて、これらの屋外排水主管１０６や排水ます１０を第１の横管２０の管軸延長上より所定距離上流側に設置施工後、埋戻しておき、段差接合溝２２を構築した後、９０度曲管（エルボ）２１や第２の横管２３を介して当該排水ます１０と接続する。
【００２８】
したがって、以上のような排水ます１０を使用する施工法によると、排水ますの位置決めが容易であり、また、排水ます１０の設置のために２度掘をなくすことになり、省力化、工程減によるコストダウンが可能となる。
【００２９】
したがって、この施工法は、前記集合一括排水設備における屋外の排水ます１０の使用が１つないし僅少であるので好都合であるが、これに限らず、多数の排水枝管（１０３）と各接続する多数の一般の排水ますや屋外排水主管の施工法に勿論、適用できる。
【００３０】
「実施例設備の概要」
次に、本発明の実施例設備の概要を述べる。
【００３１】
本実施例の屋外の排水ます１０は、特に、建屋２の基礎コンクリ−ト近傍に設置する小口径ますであって、全体が合成樹脂製、特に塩ビ射出成形製であり、その主要寸法は、屋外排水主管１０６の口径が７５ｍｍφから１５０ｍｍφのものに適用でき、したがって、この排水ます１０の点検筒部材１１の口径は、１５０ｍｍφから２００ｍｍφに構成される。
【００３２】
この排水ます１０は、特に図４において、主として上方の点検筒部材１１と下方のインバ−ト部材１２とからなり、特に、この点検筒部材１１に直接、流入口たる流入管用接続部１３が一体成形されて突出しているので、通常の筒状管体でなく、横向きチ−ズ状管体（例えば、Ｔ字における垂直部が水平部より小径で、かつ、水平部の一方端に偏って設けられた管体）になっている。
【００３３】
そして、この点検筒部材１１とインバ−ト部材１２とは、このインバ−ト部材１２がストレ−トや右、左９０度大曲り、球面インバ−ド、段差付き球面インバ−ト等多用化させるため、また、埋設深さ調節等のため、別体で構成し、製造工場または施工現場使用時に接合するようにしている。
【００３４】
また、この点検筒部材１１の上端には直接（リング状蓋枠は設けていても、別の筒体を介在させないことをいう。以下同じ）、開閉蓋１４を設けている。そのため、この開閉蓋１４と前記接続部１３の管頂とは略同一高さにしていて、地表ＧＬと略一致させている。
【００３５】
その結果、この排水ます１０を用いると、例えば各種の雑排水器具は地表ＧＬより上方にあることから、これらの上方（階上も含む）からの排水を屋外排水主管１０６に流下する場合、従来のようなエルボ体や垂直管を必要とせず、それだけ設置スペ−スを節減でき、つまり省スペ−ス化となり、極狭小地でも施工極めて簡単に設置できる。
【００３６】
そして、屋外排水主管１０６が深埋設されて土かぶりが増える場合には、点検筒部材１１とインバ−ト部材１２との間に設けた中間の高さ調節部材１５の管長を適宜選定する。したがって、高さ調節がきわめて容易にできる。
【００３７】
また、開閉蓋１４と接続部１３の管頂とを地表ＧＬに略一致させることから、流入管、例えば屋内排水主管５側は土かぶりができず、その保護が心配であるが、この排水ます１０は建屋２の近傍に設置するので、この屋内排水主管５側はコンクリ−ト等基礎により外力から保護され、その心配はなく、しかも近接させることから、極狭小地使用に好都合となる。
【００３８】
「実施例設備の詳細」
次に、本発明の実施例設備の詳細を述べる。
【００３９】
図２から図６において、この実施例設備の排水ます１０は、次のような特定場所の適用例である。
【００４０】
例えば、本出願人に係る前掲の特開２００２−３２７４７４号公報や特開２００３−１１９８７１号公報に示す集中一括排水用床下配管設備における屋外の排水ますに用いる適用例である。
【００４１】
すなわち、建屋２の床８下の防湿コンクリ−ト３に屋内排水主管５を設け、必然的に地表ＧＬより上方に位置する、この屋内排水主管５を、必然的に所定の埋設深さ（最小約２０ｃｍ）を有する屋外排水主管１０６と段差接合（落差接合）するための排水ます１０に適用してその特徴を発揮する。
【００４２】
これを述べると、図２に示すように屋内排水主管５を排水ます１０に接続するため、屋内において、下向きの第１の４５度エルボ１６、４５度傾斜管１７、上向きの第２の４５度エルボ１８、フ−チング基礎１９に立設した布基礎２４を貫通した第１の横管２０および９０度曲管２１、更には第２の横管２３等からなる緩やかな段差接合構造２２を用いる。この場合は、屋内排水主管が排水ますに接続される。
【００４３】
したがって、この段差接合構造２２は、この排水ます１０と組合せたので、更に勾配が緩やかとなり流路に負圧の発生を可及的に防止できる。
【００４４】
そして、この段差接合構造２２の下流側を、排水ます１０の流入管用接続部１３に単に挿入するだけで接続する、という施工上の特長をもつのである。
【００４５】
「排水ます１０の詳細な説明」
以上のような基礎コンクリ−ト、すなわち、布基礎２４の近傍に設置する排水ます１０自身を更に詳しく述べる。
【００４６】
図３において、この排水ます１０の点検筒部材１１の上端部には高さ調節自在の開閉蓋１４を設け、この開閉蓋１４に隣接して１つ（または２つ以上）の流入管用接続部１３たるゴム輪受口１３Ａを設けている。
【００４７】
この排水ます１０には、このゴム輪受口１３Ａからの排水を屋外排水主管１０６へ落差をもって流下させ、その流れを円滑にするため、ゴム輪受口１３の軸線延長上にバッフル体（ディフレクタ−体ともいう）と呼ばれる、流れの下向き（ないしＵタ−ン）案内部材２５を、開閉蓋１４を開いたとき取出しができるように、着脱自在に内臓している。すなわち、１種の内副管状のＵタ−ン部材を内臓している。
【００４８】
この流れの下向き案内部材２５を、特にバッフルエルボ２５Ａで構成すると、排水の周辺への飛散や排水中の固形物の飛散による付着を防止するのは勿論、段差接合構造２２やゴム輪受口１３Ａを水平状に直進する排水の流れを、下向きに円滑に方向転換させてインバ−ト２６に案内することができる。
【００４９】
このように水平状に直進する排水を強制的に下向きに方向転換させるので、そのとき排水には反動力をもつようになる。
【００５０】
したがって、そのままインバ−ト２６へ流下させると、インバ−ト部材１２がストレ−ト等のインバ−ト２６の場合、他の第２の流れ、例えばトイレ排水に落下させると、その反動力により第２の流れに衝突し、第２の流れ中の固形物を飛散させるおそれがある。
【００５１】
なお、このインバ−ト２６は、Ｕタ−ン部材にとってストレ−ト型の起点用球面インバ−トが最も良好に流出させるが、他の第２の流れがある場合は、ストレ−ト型の段差付き球面インバ−トがＵタ−ン部材と良好にマッチして合流させることができる。
【００５２】
したがって、この反動力を吸収するため、バッフルエルボ２５Ａの出口側の向きをインバ−ト２６における下流方向に向けると、つまりＵタ−ンさせると、意外にも、この滝落しが第２の流れに円滑に合流する。したがって、前記極狭小地設置の効果と相俟って、省スペ−スで、滝落しによる排水の乱れや飛散がなくスム−ズな流れとなる。
【００５３】
すなわち、ゴム輪受口１３Ａの流れの向きを屋外排水主管１０６における下流方向に向け、したがって、屋内排水主管５の流れ方向を排水ます１０内でＵタ−ンさせるように屋外排水主管１０６と接続する。つまり、この排水ます１０によって矢印ａの排水を滝落しをしながら矢印ａのようにＵタ−ンさせる。
【００５４】
以上要するに、この排水ます１０には、その上部に、排水枝管（２３）が下流側から接続される流入口たる枝管接続部（１３）があり、その内部に、この下流側から流入した排水を前記枝管接続部（１３）から当該排水ます１０の下部に設けた流出口に向けＵタ−ンさせる部材（２５、３４）があり、更に、その下部の前記流出口は、屋外排出主管１０６に接続される構成であるため、省スペ−スで、各種の施工上の誤差を吸収できる配管となり、その上、滝落しによる排水の乱れや飛散がなくスム−ズな流れを発揮させる有益な排水ますを提供できる。
【００５５】
「排水ます１０の更なる詳細な説明」
次に、かかる排水ます１０を更に詳細に述べる。
【００５６】
図４において、塩ビ射出成形製点検筒部材１１の上端部に、合成樹脂製開閉蓋１４を若干の高さが調節できるように、かつ、パッキン２７を介して密閉するように設けている。
【００５７】
この高さ調節には、開閉蓋１４を内嵌しているリング状の合成樹脂製蓋枠２８の外面と、点検筒部材１１の上端部内面とをネジ部２９によって螺着するように構成し、このネジ部２９の螺進退により、該開閉蓋１４の高さを微調節できるようにしている。
【００５８】
したがって、蓋枠２８の高さだけ、流入管用接続部１３の管頂が低くなるので、この蓋枠２８を含めて略同一と称する。
【００５９】
そして、このネジ部２９に土砂や浸入水が入るのを防ぐため、この蓋枠２８の上端に折り返し部３０を設けて、点検筒部材１１の上端外面にわたりカバ−する。
【００６０】
したがって、点検筒部材１１と蓋枠２８との２つの最少部品でありながら、部品点数を増さず、これらの浸入を防止することができる。
【００６１】
また、この高さ調節は、点検筒部材１１や高さ調節部材１５の管長を特に配慮しない場合、または既に組付けられている場合、地表ＧＬに対する施工時の調節や新規に布設したアスファルトに対する調節等に用いる。
【００６２】
次に、点検筒部材１１であるが、これは、前記のようにチ−ズ状管体で形成されており、この点検筒部材１１の下部には差口部３１を形成し、高さ調節部材１５の上端側に挿入するようにしている。
【００６３】
この高さ調節部材１５の下端側は、インバ−ト部材１２の上方開口側に形成した受口部４０に挿入する。
【００６４】
次に、バッフルエルボ２５Ａであるが、これは塩ビ（合成樹脂）射出成形製であって、排水の流れを矢印ａのように滝落しして更にＵタ−ンさせるため、バッフルエルボ本体３３と半椀状のＵタ−ン助勢案内部材３４と、これらを連結し、高さ調節可能の連結部材３５と、から、互に接着接合して一体モノに構成している。したがって、これらの具体的部材を含めてＵタ−ン部材または、Ｕタ−ン状に流れを規制する案内部材と総称する。勿論、このＵタ−ン助勢案内部材３４は各種のバリエ−ションがあって、９０°エルボでもよい。
【００６５】
このＵタ−ン助勢案内部材３４の下端、つまりＵタ−ン部材の下端は、屋外排水主管１０６の管頂と略一致させて第２の流れの満管流に支障を与えず、固形物の係留を防止している。
【００６６】
また、バッフルエルボ２５Ａの寸法および形状は、ゴム輪受口１３Ａの口径が例えば７５ｍｍφの場合、バッフルエルボ本体３３の入口側は、約９７ｍｍ、８３ｍｍの楕円形（図５（Ａ）参照）とし、その出口側は約７７ｍｍφの円形とする異形エルボで構成している。勿論、このバッフルエルボ本体３３の入口側は、ゴム輪受口１３と略同径の円形であってもよい。
【００６７】
次に、バッフルエルボ２５Ａの点検筒部材１１への着脱の１例を述べる。
【００６８】
図５および図６において、図５（Ａ）は点検筒部材１１の平面図、（Ｂ）は（Ａ）の縦断面図、図６（Ａ）はバッフルエルボ本体３３の平面図、（Ｂ）は縦断面図、（Ｃ）は（Ｂ）のＢ〜Ｂ矢視断面図、（Ｄ）は（Ａ）のＡ〜Ａ矢視側面図である。
【００６９】
これらの図において、バッフルエルボ本体３３の略中央部の外面には、左右１対の水平部をもつアングル形状の係止片３６、３６を一体的に突設している。
【００７０】
この係止片３６の先端は、後記の棚部３７における水平円弧に合致するように円弧に形成している。
【００７１】
また、点検筒部材１１のゴム輪受口１３Ａの軸延長側の内面には、左右１対の、水平円弧状になった水平部をもつアングル形状の棚部３７、３７を突設している。
【００７２】
この棚部３７の後端（反ゴム輪受口側、以下同じ）には、上方に後方傾斜した挿入案内片３８を連設している。
【００７３】
そこで、Ｕタ−ン助勢案内部材３４等を取付けたバッフルエルボ本体３３の入口側をゴム輪受口１３の出口側に向けて、その上方に突設した把持部３９を把持して、その係止片３６を挿入案内片３８に沿って上方から若干強制的に挿入すると、その挿入案内片３８により係止片３６は前方へ案内され、棚部３７上に載置すると共に、係止片３６の先端部に形成した円弧が棚部３７の円弧状アングル垂直部に接合する。
【００７４】
そのとき、バッフルエルボ２５Ａの入口はゴム輪受口１３Ａの出口と密接して接合する。勿論、バッフルエルボ２５Ａを、点検・掃除のため取出すには、開閉蓋１４を開き、把持部３９を把持して引出せばよい。
【００７５】
なお、点検筒部材１１の上端内周に設けて前記ネジ部（メネジ）２９は途切れ状ネジ体（勿論、全周ネジ体でも可）で構成している。
【００７６】
なお又、水平状の流入管用接続部１３側を保護するのは、建屋の基礎に限らず、薄いアスファルトや他の構造物、例えば塀や常設タンク等その損傷を防ぐものであってもよい。
【００７７】
【発明の効果】
本発明によると、一般の屋外排水設備の施工法の労務費や土工費を、施工誤差を吸収する、ジゴク配管を解消する等の接続配管を容易にしたり、また、２度掘りをなくして節減することができ、殊に、既設の屋外排水設備に対し、屋内配管との接続が容易となる。
【００７８】
特に、集合一括排水設備の施工法に相応しい屋外排水設備の施工法にできるので、全体としての土工費（労務費を含む）を低減できると共に、施工を簡略化することができ、ひいては、施工の仕上がり期間を大幅に短縮できる。
【００７９】
更に、フ−チング基礎にきわめて接近させて排水ますを設置するので、ひいては、極狭小地でも適用することができる。
【図面の簡単な説明】
【図１】本発明の実施例を用いる設備の概念図である。
【図２】図１の設備の具体例である。
【図３】図１縦断面図である。
【図４】図２の要部詳細図である。
【図５】図４の要部詳細図である。
【図６】図４の他の要部詳細図である。
【図７】従来例である。
【符号の説明】
１０…排水ます、２４…布基礎、１０３…排水枝管、１０６…屋外排水主管
【図１】
2004346513.tif 000003
【図２】
2004346513.tif 000004
【図３】
2004346513.tif 000005
【図４】
2004346513.tif 000006
【図５】
2004346513.tif 000007
【図６】
2004346513.tif 000008
【図７】
2004346513.tif 000009